(57)【要約】【課題】既存のデスクに設置することが可能でセキュリティソフトに関する知識がない者でも安全に使用することができるパソコン用セキュリティボックスを提供する。【解決手段】デスクＱ上に設置されたパソコンの周囲を囲む枠体１を設ける。該枠体１の上端に天板体２を設ける。枠体１の開口した前面を開閉自在に覆う蓋体３を設ける。指紋認証端末の操作で蓋体３の施錠及び開錠する電気錠を設ける。蓋体３はシャッター扉のスラット状を成す。天板体２内部の電気錠によって蓋体３を固定するように構成する。蓋体３を枠体１と天板体２との内側に設けたシャッターレールに沿ってスライド移動するように構成する。【選択図】  図１
0003201995.tif 000002
【実用新案登録請求の範囲】
【請求項１】
デスク上に設置されたパソコンの周囲を囲む枠体と、該枠体の上端に設けられた天板体と、枠体の開口した前面を開閉自在に覆う蓋体とを備え、パソコンの使用を規制するパソコン用セキュリティボックスであって、蓋体は、指紋認証端末の操作で施錠及び開錠する電気錠を備えたことを特徴とするパソコン用セキュリティボックス。
【請求項２】
前記蓋体は、前記枠体の開口した前面を開閉自在に覆うシャッター扉のスラット状を成し、前記天板体の内部に装着された前記電気錠によって施蓋状態の蓋体を固定するように構成した請求項１記載のパソコン用セキュリティボックス。
【請求項３】
前記蓋体は、前記枠体と前記天板体との内側に設けたシャッターレールに沿ってスライド移動するように構成した請求項１又は２記載のパソコン用セキュリティボックス。
【請求項４】
前記蓋体は、前記枠体の背板に装着されたシリンダー錠にて開閉自在に構成された請求項１乃至３いずれか記載のパソコン用セキュリティボックス。
【請求項５】
前記蓋体は、透明な材質で形成され、内部のパソコンを確認できるように構成された請求項１乃至４いずれか記載のパソコン用セキュリティボックス。
【考案の詳細な説明】
【技術分野】
【０００１】
本考案は、重要なデータを扱うパソコン用セキュリティボックスに係り、既存の事務デスクに設置することが可能で、セキュリティソフトに関する知識がない者でも安全に使用することができるパソコン用セキュリティボックスに関する。
【背景技術】
【０００２】
パソコンを安全に収納・保管することができるパソコン収納キャビネットが特許文献１に記載されている。このパソコン収納キャビネットは、パソコンを載置するキャビネット本体と、このキャビネット本体の前面開口部を開閉可能に閉じる鍵付きの扉とを備えたものである。
【０００３】
一方、多数のパソコン収容型机の蓋体を、同時に施錠、開放しうる電動ロック装置が特許文献２に記載されている。この装置によると、机の蓋体の施解錠をグループ毎に制御させることで、利用者に使用させる机を選択して蓋体の施解錠を行い、未使用机の蓋体の施解錠は行わないようにして機器の盗難や不正使用および機器への悪戯等を未然に防止しようとするものである。
【先行技術文献】
【特許文献】
【０００４】
【特許文献１】実用新案登録第３０３１８５１号公報
【特許文献２】特許第４５２２８３４号公報
【考案の開示】
【考案が解決しようとする課題】
【０００５】
ところが、特許文献１のパソコン収納キャビネットでは、縦長のキャビネットにパソコンを収納する構成なので、既存の事務デスクでパソコンを使用することはできないという不都合がある。
【０００６】
一方、特許文献２に記載の電動ロック装置では、予め各種装置を設置したパソコン収容型机の蓋の開閉を制御することは可能でも、既存の事務デスクに載置したパソコンの盗難や付勢使用を防止することは困難である。
【０００７】
個人情報を扱うパソコンでは、個人情報のデータ管理が極めて重要な課題になっている。そのため、各企業では、高度なセキュリティシステムを導入する対策が一般に行われている。ところが、高度なセキュリティシステムを導入したとしてもセキュリティシステムやセキュリティソフトの知識が無い者では取り扱いが難しく、また、インターネットを介したハッキングについて完全に防衛できるとは限らない。
【０００８】
中小企業や個人事業等において、個人情報を扱うパソコンを敢えてインターネットに接続せず、独立した状態で使用するケースがある。この場合、セキュリティシステムやセキュリティソフトは不要になるが、独立した状態のパソコンを使用するには、使用が認められた者だけが扱える認証システムが必要になる。ところが、特許文献１や特許文献２のような構造にはこのような認証システムがなく、また、既存の事務デスクで使用することは困難であった。
【０００９】
そこで本考案は、上述の課題を解消すべく案出されたもので、既存の事務デスクに設置することが可能で、セキュリティソフトに関する知識がない者でも簡単且つ安全に使用することができるパソコン用セキュリティボックスの提供を目的とするものである。
【課題を解決するための手段】
【００１０】
本考案の第１の手段は、デスクＱ上に設置されたパソコンＰの周囲を囲む枠体１と、該枠体１の上端に設けられた天板体２と、枠体１の開口した前面を開閉自在に覆う蓋体３とを備え、パソコンＰの使用を規制するパソコン用セキュリティボックスであって、蓋体３は、指紋認証端末４の操作で施錠及び開錠する電気錠５を備えたことにある。
【００１１】
第２の手段において、前記蓋体３は、前記枠体１の開口した前面を開閉自在に覆うシャッター扉のスラット状を成し、前記天板体２の内部に装着された前記電気錠５によって施蓋状態の蓋体３を固定するように構成したものである。
【００１２】
第３の手段において、前記蓋体３は、前記枠体１と前記天板体２との内側に設けたシャッターレール６に沿ってスライド移動するように構成している。
【００１３】
第４の手段において、前記蓋体３は、前記枠体１の背板１Ａに装着されたシリンダー錠７にて開閉自在に構成されたものである。
【００１４】
第５の手段において、前記蓋体３は、透明な材質で形成され、内部のパソコンＰを確認できるように構成されたことにある。
【考案の効果】
【００１５】
本考案の請求項１の如く、デスクＱ上に設置されたパソコンＰの周囲を囲む枠体１と、該枠体１の上端に設けられた天板体２と、枠体１の開口した前面を開閉自在に覆う蓋体３とを備え、蓋体３は、指紋認証端末４の操作で施錠及び開錠する電気錠５を備えたことにより、高度なセキュリティシステム等に関する知識が無い者でも極めて容易に取り扱うことができる。
【００１６】
しかも、指紋認証端末４の操作でパソコンＰの使用者を識別するので個人情報等を扱うパソコンＰでも安全に使用することができる。また、パソコンをインターネットに接続せずに独立した状態で使用することが可能になり、インターネットを介したハッキングについて完全に防衛することができる。
【００１７】
請求項２のように、蓋体３は、枠体１の開口した前面を開閉自在に覆うシャッター扉のスラット状を成したことで、蓋体３の開閉操作が極めて容易になる。しかも、天板体２の内部に装着された電気錠５によって施蓋状態の蓋体３を固定するように構成しているので、蓋体３を確実に施錠することができる。
【００１８】
請求項３のごとく、蓋体３は、枠体１と天板体２との内側に設けたシャッターレール６に沿ってスライド移動するように構成しているので、蓋体３の開閉が容易で、不使用時の蓋体３をコンパクトに収納することができる。
【００１９】
請求項４のように、蓋体３は、枠体１の背板１Ａに装着されたシリンダー錠７にて開閉自在に構成されることで、例えば、停電時やメンテナンス時に、シリンダー錠７を使用して開錠することができる。
【００２０】
請求項５によると、蓋体３は、透明な材質で形成され、内部のパソコンを確認できるように構成されていることから、施蓋状態でも内部のパソコンを確認して、より安全な使用が可能になる。
【図面の簡単な説明】
【００２１】
【図１】本考案の施錠状態を示す斜視図である。
【図２】本考案の開錠状態を示す斜視図である。
【図３】本考案の一実施例を示す正面図である。
【図４】図３に示す矢視Ａ-Ａ線を示す断面図である。
【考案を実施するための形態】
【００２２】
本考案は、デスクＱ上に設置されたパソコンの使用を規制するパソコン用セキュリティボックスである。本考案の主要構成は、枠体１、天板体２、蓋体３、指紋認証端末４、電気錠５を備えたものである。
【００２３】
枠体１は、デスクＱ上に設置されたパソコンＰの周囲を囲む枠状部材である（図２参照）。図示の枠体１は、前面が開口した枠体状を成し、背板１Ａを中心にした平面略コ字状を成している。この枠体１は、既存のデスクＱ上に設置するものである。そのため、蓋体３を開けた状態でデスクＱ上面と枠体１とを固定すると、蓋体３を開けなければ枠体１を取り外すことができなくなる。この際、枠体１の下面に強固な面ファスナーや磁石等を使用してデスクＱ上に固定することも可能である。
【００２４】
枠体１の背板１Ａの外側には、シリンダー錠７が装着されている（図４参照）。このシリンダー錠７は、後述する電気錠５を使用しない場合に手動で開錠できるように構成したものであり、停電時やメンテナンス時に使用する。
【００２５】
天板体２は、枠体１の上端に設けられた板状部材である。図示の天板体２の内側面には、後述する電気錠５を設けている（図４参照）。更に、枠体１と天板体２との内側には、シャッターレール６が設けられており、後述する蓋体３をスライド自在に移動し、収納する。
【００２６】
蓋体３は、枠体１の開口した前面を開閉自在に覆う部材で、シャッター扉のスラット状を成している（図１参照）。そして、枠体１と天板体２との内側に形成したシャッターレール６内にスライド自在に収納するように設けている（図４参照）。このとき、透明な材質で蓋体３を形成すると、施蓋時でも内部のパソコンを確認することができる。
【００２７】
指紋認証端末４は、蓋体３の開閉を施錠する電気錠５の開閉指令を確認する端末である（図１参照）。すなわち、使用が許可されている者の指紋が認識された場合のみ電気錠５が開錠するように構成されている。この指紋認証端末４の取付け位置は、デスクＱのサイズや使用者の好みに応じて取付場所の移動を可能にしている。
【００２８】
尚、図示例の各構成は、本考案の一実施例に過ぎず、枠体１や天板体２、蓋体３等の形状や構成は、本考案の要旨を変更しない範囲で変更することができる。また、指紋認証端末４や電気錠５等の各構成は、従来周知の構成から自由に選択することができる。
【符号の説明】
【００２９】
Ｐ  パソコン
Ｑ  デスク
１  枠体
１Ａ  背板
２  天板体
３  蓋体
４  指紋認証端末
５  電気錠
６  シャッターレール
７  シリンダー錠
【図１】
0003201995.tif 000003
【図２】
0003201995.tif 000004
【図３】
0003201995.tif 000005
【図４】
0003201995.tif 000006